(57)【要約】本発明は、関連付けられる導電繊維ネットワーク等である電気的特徴を有する布地と電源との間において電気伝達を確立する電池、装置、及び方法に係る。電池（１０，１００）と動作可能なように関連付けられるクリップ（２０，１０６）は、布地を安全且つ解放可能に係合及び／又は保持する。そのため、電池（１０，１００）の端子（１６，１８，１１６，１１８）に対応する導電接点（３６，３８）を有する布地（３４，４２）の一部（４３）が、クリップ（２０，１０６）を介して適切に係合及び／又は保持される際、電池（１０，１００）と布地（３４，４２）との間における電気的接続は、確立され得、電力又は信号は、布地（３４，４２）に関連付けられる１つ又はそれより多い電子装置及び／又はシステム（４０，４１）に送られ得る。
2008533659.tif 000002
【特許請求の範囲】
【請求項１】
電池であって：
エネルギ源と；
前記エネルギ源を収容するボディと；
前記ボディの外側からアクセス可能であり、前記エネルギ源と動作可能なように関連付けられる、一組の端子と；
前記ボディと動作可能なように関連付けられる、クリップと；
を有し、
前記クリップは、前記電池を布地に対して動作可能なように接続するよう適切である、
電池。
【請求項２】
前記クリップは、前記端子に対して保護を与えるよう位置付けられる、
請求項１記載の電池。
【請求項３】
前記クリップは、非導電性である、
請求項１記載の電池。
【請求項４】
前記ボディは、ペンの形状である、
請求項１記載の電池。
【請求項５】
前記電池は、再充電可能である、
請求項１記載の電池。
【請求項６】
前記電池は、１つ又はそれより多くの別個の機能を実行するよう少なくとも１つの器具と動作可能なように関連付けられる、
請求項１記載の電池。
【請求項７】
前記電池は、電力潮流を制御するようコントローラを有する、
請求項１記載の電池。
【請求項８】
前記端子は、布地に関連付けられる対応する一組の導電接点と動作可能なように接続するよう適切である、
請求項１記載の電池。
【請求項９】
前記クリップは、前記布地の前記導電接点と前記電池の前記端子とを共に繋ぎ、それらの間における導電伝達を可能にさせる、
請求項８記載の電池。
【請求項１０】
装置であって：
クリップを有する第１の電池を有する、パワーモジュールと；
１つ又はそれより多くの別個の性能を実行する１つ又はそれより多くの器具を有する、ツールモジュールと、
を有し、
前記クリップは、前記パワーモジュールを布地に対して動作可能なように接続するよう適切である、
装置。
【請求項１１】
前記パワーモジュールは、前記第１の電池に対して動作可能なように接続可能である第２の電池を有する、
請求項１０記載の装置。
【請求項１２】
前記１つ又はそれより多くの器具のうち少なくとも１つは、光源と、マーキング用器具と、センサとを有する群から選択される、
請求項１０記載の装置。
【請求項１３】
前記パワーモジュールは、再充電手段を有する、
請求項１０記載の装置。
【請求項１４】
前記パワーモジュールは、電力潮流を制御するようコントローラを有する、
請求項１０記載の装置。
【請求項１５】
前記第１の電池は、一組の近接する端子を有し、前記端子は、布地に関連付けられる対応する一組の導電接点に対して動作可能なように接続するよう適切である、
請求項１０記載の装置。
【請求項１６】
前記クリップは、前記布地の前記導電接点と前記第１の電池の前記端子とを共に繋ぐよう適切であり、したがってそれらの間における導電伝達を可能にさせる、
請求項１５記載の装置。
【請求項１７】
方法であって：
電池に対して、前記電池を布地に対して動作可能なように接続するよう適切であるクリップを与える段階と、
前記クリップを介して前記電池を前記ファブリックに対して接続する段階と、
を有する、
方法。
【請求項１８】
前記電池は、前記電池におけるエネルギ源と動作可能なように関連付けられる一組の近接する端子を有する、
請求項１７記載の方法。
【請求項１９】
前記電池を前記布地に対して接続する前記段階は、前記端子を前記布地に関連付けられる対応する導電接点に対して接続する段階、を有する、
請求項１８記載の方法。
【請求項２０】
前記布地は、前記電池に対して電気的に接続可能であるよう関連付けられる１つ又はそれより多くの電子的アプリケーションを有する衣類布地である、
請求項１９記載の方法。
【発明の詳細な説明】
【技術分野】
【０００１】
本願は、電池等である携帯型エネルギ源に係り、より特には、高性能織物又は布地（ｓｍａｒｔ  ｔｅｘｔｉｌｅｓ  ｏｒ  ｆａｂｒｉｃｓ）を有する使用に対して適切であるエネルギ源に係る。
【背景技術】
【０００２】
高性能布地の設計及び使用において、布地材料に関連付けられる自然的性質（風合い、可撓性、耐久性等）が保たれる、ことがしばしば所望される。更には、特定の高性能布地用途（着用可能な電子機器等）においては、高性能布地が選択可能である、ことが重要である。したがって、エネルギ又は電力をかかる高性能布地に伝えるあるいは与える手段は、実際的な課題となる。従来は、幅広い高性能布地用途における携帯型電源に対する特有の必要性を前提として、多様な既知の種類及び／又は電圧を有する電池、及び／又は携帯型発電ユニットが使用されてきている。しかしながら、不利点は、かかる異なるエネルギ源を布地に対して接続する方法がしばしば、非直観的で扱いにくく、時には融通が利かず、大きすぎ、及び／又は見苦しい接続配置を求めることである。したがって、効率的且つ直観的に所望される通りに、容易に布地に対して接続され且つ布地から取り外されるよう適切である、携帯型電源が必要とされる。
【発明の開示】
【発明が解決しようとする課題】
【０００３】
故に、本願によれば、例えば電池の形状である携帯型電源が開示され、留め具（ファスナ）又はクリップは、多種の布地に対して電池を接続するよう使用される。該布地とは、例えば、１つ又はそれより多くの電子機器及び／又はシステムを関連付けられる多種の高性能布地である。電池は、クリップを介して布地に対して接続され次第、必要に応じて布地に関連付けられる多種の電子的アプリケーション（ｅｌｅｃｔｒｏｎｉｃ  ａｐｐｌｉｃａｔｉｏｎｓ）に対してエネルギを与えるよう適切である。
【課題を解決するための手段】
【０００４】
本願の典型的な一実施例によれば、電池は、クリップを有するペン又は同様のものの形状におけるボディを有する。該クリップは、弾性的に可撓性があり、望ましくは非導電性である材料を有して作られ得る。本願の有益な態様によれば、クリップは、ボディに対して接続される一端と、ボディに対して弾性的にバイアスをかけられる（ｒｅｓｉｌｉｅｎｔｌｙ  ｂｉａｓｅｄ）自由端とを有する弾性的に可撓性の部材であり、多種の衣類布地を有する種々の布地を安全に且つ解放可能なように係合及び／又は保持する。故に、本願の有利な態様において、衣類に関連付けられる布地の一部分（ポケット縁部、袖縁部、衿縁部、又は他の係合可能な部分等）は、例えば、クリップとボディとの間に挿入され、安全且つ解放可能なように保持され得る。
【０００５】
有利には、本願の他の態様において、クリップは、電池と布地との間における導電伝達又は電気伝達（ｃｏｎｄｕｃｔｉｖｅ  ｏｒ  ｅｌｅｃｔｒｉｃａｌ  ｃｏｍｍｕｎｉｃａｔｉｏｎ）を促進する。例えば、特には高性能布地に関して、該布地は、典型的には、異なる電子的動作（例えば、布地に関連付けられる１つ又はそれより多くの着用可能な電子装置による電気伝達、及び該電子装置間における電気伝達）を容易にするよう適切である一体にされた導電性繊維及び／又は同様のものを有し、かかる布地は、クリップが適切に布地に係合する際、及び／又は布地を保持する際、対応する電池端子を介して電池と電気的に協働するよう、導電接点を有し得る。即ち、クリップは、導電接点を関連付けられて有する布地の一部を解放可能に保持するよう動作し、導電接点は、電池端子との電気伝達において保持される。故に、衣類布地の適切な一部（関連付けられる導電接点を有するポケット縁部等）を係合することによって、エネルギ又は電力は、端子／接点接続を介して衣類に関連付けられる多種の着用可能な電子的アプリケーションに対して効果的に伝えられ得る。
【０００６】
本願の典型的な他の実施例において、装置は、布地に対して電池を動作可能なように接続するよう適切であるクリップを有する電池を有するパワーモジュールと、１つ又はそれより多くの別個の機能を実行するよう１つ又はそれより多くの器具を有するツールモジュールと、を有する。本願の他の一態様において、パワーモジュールは、追加的な電池を有益に有し得る。該電池は、第１の電池に対して動作可能なように接続可能であり、また、第１の電池を再度充電するよう、及び／又は追加的な電源として動作するよう適切である。本願の他の態様において、ツールモジュールの１つ又はそれより多くの器具は、光源（フラッシュライト、レーザポインタ等）、筆記具（インクペン、シャープペンシル、マーカー等）、センサ（環境センサ等）、及び同様のものを有する多種の器具のうちいずれかであり得る。
【０００７】
本願の更に他の典型的な実施例によれば、有利な一方法は、（ｉ）電池を布地に対して動作可能なように接続するよう適切であるクリップを有する電池を与える段階、及び、（ｉｉ）クリップを介して電池を布地に対して接続する段階、を有する。電池は、本願の有利な一態様において、電池のボディによって収容されるエネルギ源に動作可能なように関連付けられる一組の近接する端子を有する。かかる近接する端子は、布地に関連付けられる対応する導電接点に対して接続可能であり、布地に関連付けられる１つ又はそれより多くの電子的アプリケーションに対してエネルギを与えるようにする。
【発明を実施するための最良の形態】
【０００８】
本願に関係する追加的な有利な特性、態様、及び機能は、特に添付の図面が併せて参照される以下の詳細な説明から明らかである。該図は、本願の主題に関連する当業者が本願の典型的な実施例をよりよく理解するための支援をするよう、参照される。
【０００９】
図面に関して、本願の一部を形成する図面を参照する、本願の多種の典型的な実施例及び／又は態様についての、以下の詳細な説明にも関わらず、他の追加的及び／又は代替的な実施例、態様、及び／又は特性は、本願の範囲から逸脱することなく同等に使用され得る。これは、本願の有利な特性が、例えば安全且つ解放可能なように接続可能な携帯型電源を求める電気（ｅｌｅｃｒｉｃａｌ  ａｐｐｌｉｃａｔｉｏｎ）を有する多種のアプリケーションにおいて採り入れられ得るため、である。
【００１０】
まず図１を参照すると、本願の典型的な一実施例に従った電池１０が示されている。図示される通り、電池１０は、エネルギ源１２，エネルギ源１２を収容するボディ１４、ボディ１４の外側からアクセス可能であり、且つエネルギ源１２と動作可能なように関連付けられる一組の端子１６，１８、及び、電池１０を動作可能なように布地に対して接続するよう適切であり、且つ望ましくは端子１６，１８に対して保護を与えるよう位置付けられるクリップ２０、を有する。
【００１１】
本願の一態様においてエネルギ源１２は、多種の化学反応からエネルギを導き出し得る。該化学反応とは例えば、亜鉛電池、アルカリ電池、カメラ用リチウム電池（ｌｉｔｈｉｕｍ  ｐｈｏｔｏ  ｂａｔｔｅｒｉｅｓ）、充電式鉛酸蓄電池、充電式ニッケルカドミウム電池、充電式ニッケル水素電池、充電式リチウムイオン電池、亜鉛空気（ｚｉｎｃ−ａｉｒ）電池、酸化亜鉛水銀（ｚｉｎｃ−ｍｅｒｃｕｒｙ  ｏｘｉｄｅ）電池、銀亜鉛電池、及び／又は金属塩化（ｍｅｔａｌ−ｃｈｌｏｒｉｄｅ）電池によって、従来は与えられるものである。本願からの関連技術における当業者には容易に理解される通り、エネルギ源１２は、種々の他の手段のいずれかからエネルギ又は電力を同等に導き出し得る。例えば、エネルギ源１２は、適切な燃料電池配置からエネルギを導き出し得る。加えて、エネルギ源１２は、本願の望ましい態様では、誘導又は誘導電荷等によって再充電可能であり得る。
【００１２】
ボディ１４は、比較的細長く、実質的に管状のボディ（即ちペン型）を有するよう図示されているが、本願の他の態様では、異なる美観的及び／又は機能的効果を達成するよう適切である多種の他の形状及び／又は構造を有し得る。更に、ボディ１４は、望ましくは、同様に異なる美観的及び／又は機能的効果の達成を促進し得る多種の非導電性材料のいずれかを有して形成され得る。図示される通り、ボディ１４は、望ましくは、耐水性であるよう作られ得る一体構造である。ボディ１４は、必要に応じて電池１０を個人が容易に掴む及び／又は取り扱うことができるよう適切なグリップ手段２２等である、人間光学に基づく特性を備えられ得る。追加的に、本願の他の態様においてボディ１４は、電池１０によって与えられる電圧出力を制御し得る電力潮流制御２４等である、多種の制御特性を有し得る。かかる制御２４は、そこに関連付けられる所定の電圧出力設定を有し得る（１，２５Ｖ、１．５Ｖ，３Ｖ，５Ｖ，６Ｖ，９Ｖ等）。図示される通り、制御２４は、ボタンの形状であるが、本願からの関連技術における当業者にとっては容易に明らかである通り、制御２４は、ダイアル又はスライディング機構等である多種の異なる構造のいずれかを同等に有し得る。
【００１３】
前述された通り、端子１６，１８は、エネルギ源１２と動作可能なように関連付けられ、ボディ１４の外側からアクセスされ得る。故に、端子１６，１８は、ボディ１４において位置決めされる熱源１２からボディ１４外部の多種のアプリケーション、システム、及び／又は装置まで電力を伝達することを容易にする。図示される通り、本願の望ましい一態様において端子１６，１８は、正極である一方及び負極である他方を有して互いに対して近接する。望ましくは、バイアス手段は、各端子１６，１８と関連付けられる。例えば、図示される通り、バネ２６，２８は、各端子１６，１８に対して動作可能なように接続され得、かかる端子が電子的アプリケーションに関連付けられる対応する導電接点に対してバイアスをかけられ、それによって安定的且つ効率的な電気接続を確立する。
【００１４】
望ましくは端子１６，１８に対して保護を与えるよう位置付けられるクリップ２４は、本願の望ましい一態様によれば、ボディ１４に対して一体的であり、ボディ１４の材料と同一である必要はない、望ましくは非導電性である材料を有して形成される。図示される通り、クリップ２０は、ボディ１４の付属物又は拡大部分であり、クリップ２０及びボディ１４の接触面において位置決めされる固定端３０と、ボディ１４の表面に対して弾性的にバイアスをかけられる自由端３２とによって定義付けられ、自由端３２とボディ１４の表面との間において平坦な材料（布地の一部等）を安全且つ解放可能に係合及び／又は保持することができるようにする。
【００１５】
本願の他の態様においてクリップ２０は、ボディ又は電池に対して分離可能に接続され得、例えば反復的な使用からの披露による損傷の場合は、他のクリップと交換可能及び／又は入替え可能であるようにする。
【００１６】
図２は、電池１０と協働するよう適切である典型的な布地３４の側部断面図である。望ましくは、布地３４は、一般的には電子的アプリケーション、より特には着用可能な電子的アプリケーションと関連付けられる使用に対して適切である。布地３４は、合成製品（ゴム、マイラー、ポリウレタン等）、自然のもの（綿、羊毛、絹等）、又は複合材料（ポリピロール／ナイロン、ポリピロール／ライクラ、ポリピロール／ポリエステル、等）であり、衣服の製造において典型的に使用される全ての材料を有する材料のいずれかの種類から形成され得る。
【００１７】
図示される通り、布地３４は導電接点３６，３８を有し、該接点は、望ましくは電池１０と関連付けられる対応する端子１６，１８に対して動作可能なように接続するよう適切である。らには、布地２３は、布地３４に関連付けられる１つ又はそれより多くの電子的アプリケーションに対して動作可能なように接続可能である、導電トラック４０を有する。導電トラック４０は、本願の望ましい一態様に従って、導電接点３６，３８と協働し、布地３４に関連付けられる１つ又はそれより多くの電子的アプリケーションを端子１６，１８を用いて電池１０に対して接続させる。
【００１８】
導電接点３６，３８及び／又は導電トラック４０は、関連付けられる導電特徴を有する多種の材料のうちいずれかから作られ得る。例えば、導電接点３６，３８及び／又は導電トラック４０は、織布、不織布、及び／又はニットを有する可撓性の金属被膜材料、フィラメント、フォイル、及び毛糸、導電性高分子被覆材料、導電性黒鉛化材料、導電性ゲル被覆材料、綿、ライクラ、スパンデックス、ネオプレン、ポリエステル、ゴム押出し材料、ポリピロール／ライクラ材料、ポリピロール／ナイロン材料、ポリピロール／ポリエステル材料、なんらかの共役高分子、イオン注入高分子、及び／又は同一のものの組合せを使用して、作られ得る。更には、導電接点３６，３８及び／又は導電トラック４０は、既知である多種の織物製造技術を使用して形成され得る。該技術には例えば、多種の製織技術、編製技術、縫製技術、被覆技術、及び／又は射出（ｉｎｊｅｃｔｉｎｇ）技術が有される。また更には、導電接点３６，３８及び／又は導電トラック４０は、異なる電池構造と関連付けられる端子を有して補完的であるよう、多種の異なる形状、寸法、及び／又は構造を有し得る。本願の有利な一態様によれば、導電接点３６，３８及び導電トラック４０は、製造及び多種の異なる種類の織物構造の使用に関連付けられるストレスに耐えるよう、適切な可撓性及び耐久性を与えるよう適切である特徴を有する。
【００１９】
導電接点３６，３８及び／又は導電トラック４０は、本願の他の態様において、既知である従来通りの製織、縫製、及び編製の方法を使用して、導電性及び非導電性繊維の組合せ又はメッシュから作られ得る、ことが留意される。この態様において、各繊維は、多種の形状を有し得、また、異なる所望の電子的アプリケーションを収容するよう適する多種の材料及び／又は材料の組合せを有し得る。
【００２０】
これより図３及び４を参照すると、本願の典型的な一実施例によれば、クリップ２０を有する電池１０は、多種の高性能織物又は布地４２に電圧を加える携帯型手段を与える。
該布地は、典型的には、多種の電子動作を容易にするよう適切である一体的な導電繊維及び／又は同様のものを有する（例えば、布地に関連付けられる１つ又はそれより多くの着用可能である電子装置及び／又はシステム４１による、並びに該電子装置及び／又はシステム４１の間における、電気伝達）。図３中に示される通り、かかる高性能布地４２は、前述された通り、導電接点３６，３８を有し得る。該接点は、望ましくは近接する電池端子１６，１８と電気的に協働するよう適切であり、関連付けられる導電接点３６，３８を有する高性能布地４２の一部分４３を係合及び／又は保持するようクリップ２０が使用され、導電接点３６，３８が電池端子１６，１８と電気的に伝達する際に、効率的な電気的接続を確立する。故に、本願の有利な一態様によれば、クリップ２０は、望ましくは布地に対して電池１０を解放可能に接続するよう適切あり、より望ましくは、電池１０の端子１６，１８と協働するよう導電接点３６，３８を有する高性能布地４２の一部分４３に対して電池１０を解放可能に接続するよう適切である。
【００２１】
構成の布地４２の多種の部分４３は、多種の衣類、室内装飾品、又は他の織物製品のいずれかと関連付けられ得る、ことが留意される。例えば、図４中に示される通り、本願の一態様に追いて、高性能布地４２の一部分４３は、関連付けられる導電接点３６，３８及び端部４８を有するシャツ４６におけるポケット４４の形状である。布地の他の適切な部分は、衿又は袖の端部、布地自体を折り曲げることによってできる折り目又はしわ、及び／又は電池の端子と協働するよう適切である導電接点を有するなんらかの縫い目を有し得る。故に、本願の有利な特性によれば、個人は、多種の衣類、室内装飾品、又は他の織物製品と電気的な伝達を容易に確立し得、かかる衣類、室内装飾、又は他の織物製品に関連付けられる多種の電気装置及び／又はシステムのいずれかを動作するよう適切である電力又は信号を伝達するようにし、それによって多種の所望の効果のいずれかが達成されるようにする。
【００２２】
図５及び６を参照すると、本願の他の典型的な実施例に従った装置１００が示される。図示される通り、パワーモジュール１０２及びツールモジュール１０４は、装置１００を画定する。
【００２３】
パワーモジュール１０２は、前述された通り、クリップ１０６を有する第１の電池１０５を有し、本願の一態様において、補完的な電源を与えるよう適切である第２の電池１０８等である追加的な電源を有し得る。加えて、パワーモジュール１０２は、本願の他の態様において、電力又は信号を多種の遠隔電気装置及び／又はシステムのうちいずれかに対して直接伝達させるよう適切である、インタフェース１１０を有する。更には、本願の更に他の態様において、パワーモジュール１０２は、電力潮流を制御するよう適切である制御１１２を備えられる。かかる制御１１２は、多種の形状（ボタン、ノブ、ダイアル等）を有し得、多種の電圧出力設定を示す関連付けられたマーク（ｉｎｄｉｃｉａ）を有する。
【００２４】
別個の機能を達成するよう適切である１つ又はそれより多くの器具１１４は、望ましくは御泡モジュール１０２と動作可能なように接続可能である、ツールモジュール１０４を画定する。例えば、本願の一態様において、器具１１４は、マーキング器具（ペン、鉛筆、又はマーカー等）である。本願の他の態様では、器具１１４は、照明器具（フラッシュライト、又はレーザポインタ等）である。本願の更に他の態様では、器具１１４は、検出器具（環境センサ等）である。当業者に対して本願から容易に明らかである通り、パワーモジュールは望ましくは、ツールモジュール１０４に関連付けられる器具１１４のいずれかに対して必要に応じて電力を与えるよう適切である、ことが留意される。
【００２５】
したがって、装置１００は、本願の有利な一態様において、複数の異なる機能を達成するよう適切である。該機能は、とりわけ、遠隔の電子的アプリケーションに直接電力を与える手段を与えること、照明する手段を与えること、書込み又はマーキングに対する手段を与えること、及び／又は検知する手段を与えること、並びに、布地（高性能織物又は衣類等）に関連付けられる電子的アプリケーションに電力を与える手段を与えること、を有する。
【００２６】
本願中で特定及び説明される多くの態様、特性、及び利点は、前述された詳細な説明から明らかであり、故に添付の請求項は、本願の趣旨及び範囲無いである全ての態様、特性、及び利点を対象とするよう、意図する。更には、多数の修正及び変更が当業者によって容易に想到されるため、本願の範囲を図示及び説明された正確な構造及び動作に対して制限することは望ましくはなく、従って、全ての適切な修正及び同等のものは、本願の範囲内であるものとして用いられ得る。故に、本願中に記載される典型的な実施例は、単なる例証であり、本開示は、開示されてきた実施例の代替及び／又は修正された実施例を具体的に含有する。
【図面の簡単な説明】
【００２７】
【図１】本願の例証的な一実施例に従う典型的な電池の概略図である。
【図２】本願の例証的な一態様に従う典型的な布地配置の断面図である。
【図３】本願の例証的な一態様に従う典型的な電池−布地接続の概略的説明である。
【図４】本願の例証的な一態様に従う典型的な高性能衣類の概略図である。
【図５】本願の典型的な一実施例に従う装置の分解図である。
【図６】図４中の装置の断面図である。
【図１】
2008533659.tif 000003
【図２】
2008533659.tif 000004
【図３】
2008533659.tif 000005
【図４】
2008533659.tif 000006
【図５】
2008533659.tif 000007
【図６】
2008533659.tif 000008
【手続補正書】
【提出日】平成19年9月12日(2007.9.12)
【手続補正１】
【補正対象書類名】図面
【補正対象項目名】図１
【補正方法】変更
【補正の内容】
【図１】
2008533659.tif 000009
【国際調査報告】
2008533659.tif 000010
2008533659.tif 000011
2008533659.tif 000012